(57)【要約】【課題】本発明は、電源遮断状態において自動水栓を手動水栓として使用可能とする制御装置の提供を目的とする。【解決手段】本発明に係る自動水栓の制御装置は、手動操作可能な手動水栓と、該手動水栓に給水及び/又は給湯する供給管に接続した電磁弁と、該電磁弁を開閉駆動させる駆動部と、該駆動部を制御する制御部と、該制御部に前記電磁弁の開閉を指示する１以上のセンサと、前記制御部に前記電磁弁の制御状態を表示する１以上の表示部を設け、前記制御部、前記駆動部、前記電磁弁との信号を送信受信する信号線と、電源部より前記制御部、前記駆動部、前記電磁弁へ供給する電気配線と、を備えた自動水栓の制御装置であって、電源遮断状態時に前記電磁弁の開閉を駆動させるための、蓄電部と該蓄電部からの電力を前記電磁弁に送電する為の電磁弁開スイッチを、前記駆動部に設けたことを特徴とする。【選択図】図１
2019007183.tif 000002
【特許請求の範囲】
【請求項１】
手動操作可能な手動水栓と、該手動水栓に給水及び/又は給湯する供給管に接続した電磁弁と、該電磁弁を開閉駆動させる駆動部と、該駆動部を制御する制御部と、該制御部に前記電磁弁の開閉を指示する１以上のセンサと、前記制御部に前記電磁弁の制御状態を表示する１以上の表示部を設け、前記制御部、前記駆動部、前記電磁弁との信号を送信受信する信号線と、電源部より前記制御部、前記駆動部、前記電磁弁へ供給する電気配線と、を備えた自動水栓の制御装置であって、
電源遮断状態時に前記電磁弁の開閉を駆動させるための、蓄電部と該蓄電部からの電力を前記電磁弁に送電する為の電磁弁開スイッチを、前記駆動部に設けたことを特徴とする自動水栓の制御装置。
【請求項２】
前記蓄電部が蓄電池及び/又はコンデンサであることを特徴とする請求項１に記載の自動水栓の制御装置。
【請求項３】
電源遮断状態時に前記電磁弁の開閉を１以上駆動可能とする電力容量を、前記蓄電部が保持することを特徴とする請求項１または請求項２に記載の自動水栓の制御装置。
【請求項４】
前記電磁弁がラッチ式であることを特徴とする請求項１〜請求項３のいずれか一項に記載の自動水栓の制御装置。
【請求項５】
電源遮断状態から電源が復電する時に前記電磁弁を閉状態に駆動させる制御機能を前記駆動部に備えたことを特徴とする請求項１〜請求項４のいずれか一項に記載の自動水栓の制御装置。
【発明の詳細な説明】
【技術分野】
【０００１】
本発明は、自動水栓の電源遮断時及び電源復帰時の電磁弁開閉制御を行う制御装置に関する。
【背景技術】
【０００２】
従来、自動水栓の吐水・止水を行う電磁弁は、電源遮断時に閉状態に固定される構成が一般的であり、漏水を防止することを重要視した構成が採用されている。当然、電源遮断中は自動水栓が作動しないので利用することが出来なかった。そこで、電源遮断時の吐水を確保する方法として、電磁弁を迂回するバイバス管路を配設し、その管路に手動式の開閉弁を設けることで、電源遮断時の吐水を確保する構成が開示されている。
例えば、以下の特許文献１に電磁弁のＯＮ、ＯＦＦ制御により吐水管から自動吐水させる自動水栓において、自動吐水管の電磁弁の上流側から分岐するバイパス管路に手動弁を設け、分岐部の上流側に定流量弁を設けた自動水栓が開示されている。
【０００３】
また、バイパス管路を配設しない方法として、電源遮断時電磁弁を開のままの状態とすることで、電源遮断時の吐水を確保する方法が開示されている。
例えば、以下の特許文献２に水栓の水路の途中に電導弁と手動弁を直列に配列し、人体検知センサーからの信号によって電動弁を開閉制御する自動水栓が開示されている。
この自動水栓において電動弁は手動弁が開で人体検知センサーからの信号が非検知であるときのみ閉となり、それ以外は開を維持する。手動弁を開に設定し、その状態で吐水口へ手を差し出すと人体検知センサーがこれを検知し、自動吐水となる。特許文献２に記載の自動水栓では、電磁弁が停電等で使用できないときは、開のままの状態となるので、手動弁の開閉操作により吐水状態及び止水状態の切り替えが可能となる。
【先行技術文献】
【特許文献】
【０００４】
【特許文献１】特開２０１３−１０４２３３号公報
【特許文献２】特開２００３−０８２７２０号公報
【発明の概要】
【発明が解決しようとする課題】
【０００５】
しかしながら、特許文献１に記載の構造では、電磁弁を迂回するバイバス管路と手動開閉弁を新たに設ける必要があり、コスト高と施工の煩雑さを招き、さらに、手動開閉弁を操作するための取っ手を水栓近傍に別途配置する必要があり、自動水栓の外観の悪化や清掃性の低下を招く等の問題があった。
また、特許文献２に記載の構造では、手動弁が開状態でセンサが非検知の状態において電磁弁は閉となり止水状態となるため、所定時間経過後にブザー警報とセンサシステムをＯＦＦとして手動操作に戻すと記載されている。ところが、特許文献２には電源遮断状態で電磁弁を開にする具体的な方策の記載がなく、電源遮断中に電磁弁を開くことができない虞があるという問題点があった。
【０００６】
本発明は、上記従来の問題点を鑑みなされたものであって、自動水栓の電磁弁の閉状態で電源が遮断された状態で、電磁弁開スイッチ操作により電磁弁を開くことができる自動水栓の制御装置を提供することにある。
【課題を解決するための手段】
【０００７】
本発明は、上記課題を解決する手段として、以下の構成を有する。
（１）本発明の自動水栓の制御装置は、手動操作可能な手動水栓と、該手動水栓に給水及び/又は給湯する供給管に接続した電磁弁と、該電磁弁を開閉駆動させる駆動部と、該駆動部を制御する制御部と、該制御部に前記電磁弁の開閉を指示する１以上のセンサと、前記制御部に前記電磁弁の制御状態を表示する１以上の表示部を設け、前記制御部、前記駆動部、前記電磁弁との信号を送信受信する信号線と、電源部より前記制御部、前記駆動部、前記電磁弁へ供給する電気配線と、を備えた自動水栓の制御装置であって、電源遮断状態時に前記電磁弁の開閉を駆動させるための、蓄電部と該蓄電部からの電力を前記電磁弁に送電する為の電磁弁開スイッチを、前記駆動部に設けたことを特徴とする。
【０００８】
（２）本発明の自動水栓の制御装置において、前記蓄電部が蓄電池及び/又はコンデンサであることが好ましい。
（３）本発明の自動水栓の制御装置において、電源遮断状態時に前記電磁弁の開閉を１以上駆動可能とする電力容量を、前記蓄電部が保持することが好ましい。
【０００９】
（４）本発明の自動水栓の制御装置において、前記電磁弁がラッチ式であることが好ましい。
（５）本発明の自動水栓の制御装置において、電源遮断状態から電源が復電する時に前記電磁弁を閉状態に駆動させる制御機能を前記駆動部に備えたことが好ましい。
【発明の効果】
【００１０】
本発明によれば、手動操作装置付き自動水栓の電源が遮断されて電磁弁が閉状態時、電磁弁開スイッチを押下することで、駆動部の蓄電部に蓄電された電力を電磁弁に供給することができる。そして、電磁弁に電力を供給して電磁弁を開状態に作動させることで、電源遮断時に手動操作で吐水・止水を行うことができる。
【００１１】
また、電磁弁が開状態で復電した場合、復電時に電磁弁を閉状態に駆動させる制御を行うことで、自動水栓制御を初期状態に復帰させることができ、復電時に不意に吐水することがない。
【図面の簡単な説明】
【００１２】
【図１】本発明に係る第１実施形態の制御装置を備えた自動水栓を既設水栓に取り付けた状態を示す透視図。
【図２】同自動水栓に設けられている制御部の一例を示す斜視図。
【図３】同自動水栓に設けられる駆動部の一例を示す斜視図。
【図４】同制御部に設けられる４つのモードについて説明するためのフロー図。
【図５】同自動水栓に設けられている制御部と駆動部についてそれらの動作を説明するためのフロー図。
【図６】同自動水栓に設けられている制御部の吐水・止水制御フローの一例を示すフロー図。
【図７】同自動水栓に設けられている制御部のモード移行フローの第２の例を示す説明図。
【発明を実施するための形態】
【００１３】
「第１の実施形態」
以下、本発明の実施形態を挙げて本発明の詳細について説明する。
図１において、符号１は手動水栓、２は流し台、１６は流し台２の天板、８は流し台２に設けられたシンク、９はシンク８の下側のキャビネット、２０はキャビネット９の扉をそれぞれ示す。シンク８若しくは天板１６には水栓設置台７が形成されており、この水栓設置台７の上面に既設の手動水栓１が立設されている。
図１に示す実施形態において手動水栓１は水栓本体１Ａの上端部に操作レバー５を有し、操作レバー５の若干下方に吐水口６を備えた吐水管６Ａが設けられた混合水栓とされている。なお、本実施形態において適用可能な手動水栓１は図１に示す混合水栓の構成に限らず、単水栓、２ハンドル混合水栓、ミキシング混合水栓、サーモスタット混合水栓、壁付タイプや台付タイプの水栓など、いずれのタイプの手動水栓であっても良い。
【００１４】
図１に示す実施形態においてシンク８の背面側上部であって天板１６から一段低められた位置に平面視三角板状の水栓設置台７がシンク８側に水平にせり出すように形成され、この水栓設置台７の上面に手動水栓１が立設されている。図１に示す実施形態ではシンク８の背面側の天板１６の一部を一段低め、天板１６の一部をシンク８の中央部側にせり出すように延出させて水栓設置台７が水平に設けられている。なお、水栓設置台７については、天板１６の一部に設けても良いし、天板１６と別体で設けても良く、天板１６の一部を水栓設置台としても良い。
【００１５】
前記手動水栓１に接続する２本の給水管３が水栓設置台７を上下に貫通するように設置され、２本の給水管３の下端側がシンク８を支えているキャビネット９の内部側に配置されている。また、２本の給水管３の下端部は、キャビネット内において左右に離間配置されている止水栓４にそれぞれ接続されている。２本の給水管３のうち、一方は給水用配管であり、他方は給湯用配管である。止水栓４は流し台２を設置した建屋に設置されている水道管に接続されたもので、給湯用の給水管３は図示略の給湯器に接続されて給湯器の作動により給湯できるように構成されている。
【００１６】
各給水管３において止水栓４に近い部分に電磁弁１３が組み込まれ、左右の電磁弁１３の近傍にこれらを開閉駆動するための駆動回路を有する駆動部１２を収容した取付ボックス１２Ａが設置されている。
図１に示すシンク８の背面側の天板１６上であって、手動水栓１の右手側に隔離した位置に制御部１０を内部に収容した円柱状の制御ボックス１０Ａが設置されている。
なお、図１においてキャビネット１やシンク８、天板１６に隠されて配管や配線が目視できない場合、それらの位置を認識できないため、図１ではキャビネット１やシンク８、天板１６を透視した状態で配管や配線、その他機器の設置位置を視認できるように実線で表示した。
【００１７】
図２に拡大して示すように制御ボックス１０Ａのシンク側の側面（前面）中央部に非接触タイプの第１センサ１７が取り付けられ、上面中央部に非接触タイプの第２センサ１８が取り付けられている。制御ボックス１０Ａの側面（前面）上部に操作ボタンからなる操作部１０ａが設けられ、その下方に表示部１０ｂが設けられ、その下方の第１センサ１７の右側にモード切り替えスイッチからなるモード切替部（切替手段）１０ｃが設けられている。また、制御ボックス１０の側面（前面）下部側にスピーカーを内蔵した報知部１０ｄが設けられている。本実施形態において表示部１０ｂは複数のＬＥＤ（light emitting diode）灯を等間隔で配置した構成が採用されている。
図３に示すように駆動部１２は取付ボックス１２Ａの内部に電磁弁１３の開閉を制御するための駆動回路を備えるとともに取付ボックス１２Ａの上面に電磁弁１３を開くための電磁弁開スイッチ１２ａが設けられ、内部に蓄電部１２ｂが設けられている。蓄電部１２ｂは駆動回路に通電するための電源となる蓄電池又はコンデンサからなる。また、取付ボックス１２Ａの内部の駆動回路に外部の電源から通電するための電気配線１４と前記制御部１０からの制御信号を駆動回路で受けるための信号線１１が接続されている。
【００１８】
第１センサ１７は、図１に示すように手動水栓１の手前側から右斜め奥側にある程度の高さ範囲でもって拡がる図１中の鎖線で示された第１センサ検出域１７ａを検出範囲とする物体感知センサである。第２センサ１８は、制御ボックス１０Ａの上面の上方領域を上面よりも少し広い領域で検出範囲とする物体感知センサである。第１センサ１７は第１検査検出域１７ａに水栓使用者の手などの物体が存在すると物体の存在を検出して後述の動作を行わせるためのセンサである。第２センサ１８は制御ボックス１０Ａの上方に水栓使用者の手などの物体が存在すると物体の存在を検出して後述の動作を行わせるためのセンサである。
【００１９】
制御部１０に搭載されているセンサ１７、１８はより具体的には、検出域の異なるセンサである。図１の実施形態において制御部１０の側面側（正面側）に配設される第１センサ１７は、制御部１０の正面よりシンク８側に例えば約４０ｃｍ程度の範囲（図１に示す第１センサ検出域１７ａ）を検出するセンサである。また、制御部１０の上方に配設される第２センサ１８は、制御部１０の上面より若干広い範囲であって例えば約１０ｃｍ程度上方の範囲（図１に示す第２センサ検出域１８ａ）を検出するセンサである。
なお、上述のセンサ１７、１８の検出範囲は一例であり、制御部の設置位置により適宜設定することで、多彩な使用条件に対応することができる。
【００２０】
制御部１０に設けられている電気回路と駆動部１２に設けられている駆動回路は信号線１１と電気配線１４により相互接続され、駆動部１２と２つの電磁弁１３とが他の信号線１１と電気配線１４により相互接続されている。また、図１では略されているが、電気配線１４の一部はキャビネット９の内部に設けられているコンセントなどの電源部２１に接続されるか、キャビネット周囲の壁１９に設けられているコンセントなどの電源部２１に接続され、駆動部１２と制御部１０に給電できるように構成されている。
なお、図１では特に記載していないが、電源部２１に電気配線１４を接続しない場合はキャビネット９内に別途蓄電池などの電源を設け、この蓄電池から電気配線１４を介し駆動部１２と制御部１０に給電しても良い。
【００２１】
信号線１１及び/又は電気配線１４の配線については、天板１６の背面と壁１９との隙間や流し台２前面の扉２０とキャビネット９の隙間等を利用して行う事ができる。また、配線の露出が気になる場合は、制御部１０の設置部、たとえば水栓設置台７や天板１６に貫通孔１５を設けてこの貫通孔１５からキャビネット９内に直に至るように配線することができる。その場合の貫通孔の孔径は配線が挿通できる程度の小径で済むので孔加工の軽減を図る事ができる。また、貫通孔１５の上方に制御部１０を配置し、貫通孔１５を制御ボックス１０Ａで覆い隠すことができ、これにより配線の露出を防ぐことができる。
【００２２】
本実施形態の自動水栓は、制御部１０と駆動部１２及び電磁弁１３、１３とこれらを接続する信号線１１及び電気配線１４を備えている。
電磁弁１３は、手動水栓１に対して水、湯を供給する供給管３と止水栓４の間に組み込まれ、駆動部１２と電気配線１４で接続されており、電磁弁１３の開弁動作によって手動水栓１に対し水と湯が供給され、電磁弁１３の閉弁動作によって供給が停止される。
従って、止水栓４を開状態にして操作レバー５の開度をあらかじめ調整しておくことにより、電磁弁１３の開閉操作により、吐水口６から吐水・止水することができる構造となっている。
【００２３】
図１において、制御部１０からの電磁弁開閉指令は、非接触タイプの第１センサ１７或は非接触タイプの第２センサ１８が物体を検出すると、制御部１０より運転モードに応じた開閉指令が駆動部１２の駆動回路に出力され、駆動回路が電磁弁１３に対し開閉に必要な動力を供給し電磁弁１３を動作させるしくみとなっている。
なお、電磁弁１３はラッチ式とすることで開閉動作を行う時だけ動力を必要とするため、次回の開閉動力が供給されない限り現状の状態を保持し、且つ、消費電力を抑制することができる。
従って、電磁弁１３が閉状態の時に電源が遮断された場合は、電磁弁に開動力を１回供給すれば電磁弁１３を開状態に固定できるため、手動水栓１をそのまま使用できる構造となっている。
【００２４】
本実施形態の自動水栓を既設の手動水栓１に適用するには、止水栓４を閉状態に操作し、各供給管３と止水栓４の接続部を分離し、次に各供給管３と止水栓４の間に電磁弁１３を挟み込み、これらを相互接続する。その後、駆動部１２をキャビネット９内の底板、側板若しくは背板側等に配置し、電気配線１４を接続する。最後に、天板１６または水栓設置台７に貫通孔１５を設け、信号線１１及び/又は電気配線１４を貫通孔１５に挿入し、天板１６または水栓設置台７上に引き出し、制御部１０に接続することにより、制御部１０と駆動部１２を信号線１１と電気配線１４により接続し自動水栓として組み付けることができる。
【００２５】
流し台２に制御部１０を設置する場合、既存の手動水栓本体の着脱や部品の装着等が不要であることから利用者の使用目的に合わせて配置できるので、既設の手動水栓１の近傍に設置すれば一般的な自動水栓のように使用することができる。
たとえば、高齢者や車椅子使用者等が利用する場合、制御部１０を既存の手動水栓１より手前側に配置することで、手元で自動水栓の操作を行うことができ、各センサが水栓と一体化した構成の自動水栓に対し、利用者の使用目的に幅広く対応することができる。
【００２６】
本実施形態の自動水栓において設置した駆動部１２と制御部１０へ供給する電源を商用電源とするか蓄電池とするかは、既存の手動水栓１周辺への電源の設置有無に合わせて選択することができ、その一例としては、ＡＣアダプタと蓄電池を使い分ける方法を選択可能である。
【００２７】
また、電源供給方法について、駆動部１２と制御部１０のどちらか一方に電源を供給して電気配線１４にて他方に分電する方法においては、電源をキャビネット９の内部、外部どちらに設置しても対応することができる。また、個別に電源を設ける構成を採用するならば、商用電源を用いることが出来ない場合、蓄電池をそれぞれの機器に分散することで、各機器の大型化を抑制することができ、特に制御部１０については、設置場所の選択の自由度が増すとともに、外観的にも好ましい形状とすることができ、手動水栓１の多様な設置条件に幅広く対応することができる。
【００２８】
さらに、本実施形態の自動水栓においては、既存の手動水栓１に対して新たな部品の取付や水栓本体の着脱作業が不要であり、本実施形態の自動水栓設置前の手動水栓１の外観を維持することができる。また、既設の手動水栓１とその吐水口周りにおける障害物の発生を無くすることができるので、自動化した水栓の操作と吐水部周りの作業を支障なく連携して行う事ができる。
【００２９】
電磁弁１３は、既設の手動水栓１に対して湯または水を供給する供給管３と止水栓４との間に組み込まれ、駆動部１２に電気配線１４によって接続されており、電磁弁１３の開弁動作によって既設の手動式水栓１に対し水と湯が供給され、閉弁動作によって手動水栓１への水または湯の供給が停止される。
【００３０】
本実施形態の自動水栓は、第１センサ１７あるいは第２センサ１８で電磁弁１３の開閉を遠隔操作することにより、既設の手動水栓１の操作レバー５であらかじめ調整した水量、温度の湯水を吐出口６から自動で吐出・止水することができ、吐水中でも操作レバー５により水量調節、水温調節が可能である。
【００３１】
図１に示す構造において、制御部１０には先に述べた第１センサ１７と第２センサ１８の他、操作部１０ａ、表示部１０ｂ、モード切替部１０ｃ、報知部１０ｄを個々に制御するロジック回路２５（図５参照）が設けられている。
【００３２】
モード切替部（切替手段）１０ｃは、複数の運転モードを切り替えるためのスイッチであり、本実施形態では釦などのスイッチを押す毎に後に述べる４つの運転モードに順番に１つずつ移行することができる。
【００３３】
ロジック回路２５は、第１センサ１７或は第２センサ１８での物体検出を受け、モード切換部１０ｃで選択した１〜４の運転モードに応じて駆動部１２に対し電磁弁１３に開閉指令を出すと共に、駆動部１２からの電圧異常検出を受けて、その状態を表示部１０ｂあるいは報知部１０ｄにて発光や点滅及び/又は発音にて利用者に通報する制御を行う回路である。
ロジック回路２５には中央演算装置２５ａが設けられ、センサ１７、１８で物体検出された結果に応じて駆動部１２に内蔵しているロジック回路２６に開閉動作指令（出力信号）を送る機能を有する。また、モード切替部１０ｃのスイッチ操作に応じて運転モードをモード１〜モード４のいずれかのモードに切り替える機能を有する。
【００３４】
中央演算装置２５ａはセンサ１７、１８の検出状態と、現在の電磁弁開閉状態と、現在の運転モードを記憶し、電池を電源とした場合に電池切れ（電池の電力低下）を表示部１０ｂに点灯表示するか、報知部１０ｄを介して表示音、警報音などとして動作させる機能も有している。
図５に示す構成の制御部１０においては電源部２１に接続可能なＡＣアダプタ２８あるいは電池２９が設置され、これらのいずれかから、ロジック回路２５と表示部１０ｂと報知部１０ｄのそれぞれに個別に必要な電力を供給できるように構成されている。
【００３５】
駆動部１２には前記ロジック回路２５からの開閉動作指令（出力信号）を受けて電磁弁１３の開閉を制御するためのロジック回路２６が別途設けられている。ロジック回路２６はコンセントなどの商用電源に接続されるＡＣアダプタ２８からの電力供給あるいは別途設けた電池２９などからの電力を受けて作動し、電磁弁１３、１３の開閉動作を制御する。
また、ロジック回路２６には電池３１を電源として用いた場合の電圧低下を検出する機能が設けられるとともに、電池３１の電圧異常信号を検出した場合に中央演算装置２５ａに信号を送り、中央演算装置２５ａを介し表示部１０ｂに警告状態であることを表示するか、報知部１０ｄのスピーカーから警告音を発生できる機能を有する。
【００３６】
表示部１０ｂ・報知部１０ｄは、現在のセンサ１７、１８の物体検出状況及び運転モードと電磁弁１３の開閉指令状況を表示し、各状態の変化時に異なる発光や点滅及び/又は発音を出力することができる。
【００３７】
図１に示す自動水栓において、運転モードは図４に示すようにモード１〜モード４までの４種類が設けられている。
モード１は第１センサ１７或は第２センサ１８が物体を検出すると電磁弁１３、１３を開き、センサ１７、１８が物体を検出しなくなると電磁弁１３、１３を閉じるという節水を目的としたモードであり、その制御はセンサ１７、１８の物体検出と連動した電磁弁１３の動作とされている。
【００３８】
モード２は、第１センサ１７或は第２センサ１８が物体を検出した時に電磁弁１３、１３を開き、この状態で第２センサ１８が再び物体を検出した時に電磁弁１３を閉じるという連続通水を目的としたモードである。
このモード２の制御は、第１センサ１７或は第２センサ１８が物体を検出した時にロジック回路２５に設けられている図示略のメモリに内部的に数値１を記憶し、この状態で第２センサ１８が物体を検出すると前記メモリに記憶されている数値１を０にリセットすることで、メモリに記憶した情報の数値が１ならば電磁弁１３を開、数値が０ならば電磁弁１３を閉として電磁弁１３を動作させるモードである。
電磁弁１３を開状態とすることで手動水栓１を用いて手動で給水または給湯を切り替えることができ、電磁弁１３を閉じることで手動水栓１からの給水または給湯を自動停止できる。
【００３９】
なお、モード２ではメモリに記録された数値１で電磁弁１３が開いてから、一定時間経過後に自動的に電磁弁１３を閉じる機能を搭載している。
【００４０】
モード３は、モード２の動作のうち第１センサ１７での物体検出を電磁弁１３の開閉制御に反映しないモードで、食器洗い時等、シンク８とその周りで物体が動いても水を出さないようにするモードである。
このモード３において第２センサ１８が物体を検出した場合はモード２と同様の動作がなされる。従って、食器洗い時等、シンク８とその周りで物体が動いても水を出さないように制御することができるが、第２センサ１８に使用者が手を近付けると、記憶した情報の数値が１ならば電磁弁１３は開、数値が０ならば電磁弁１３を閉として電磁弁１３を動作させることができる。従って、食器洗い時等、シンク８とその周りで物体が動いても、その動きに影響されることなく手動水栓１からの給水または給湯を続行するか、給水または給湯を停止した状態を維持できる。
【００４１】
従って、シンク８において食器洗いなどにより手を動かすことがあっても吐水口６から連続的に湯または水を吐出しつつ食器洗いを続行することができる。
この状態から、湯または水の吐出を停止させるには、手動水栓１の操作レバー５を操作して手動により湯または水を停止するか、第２センサ検出域１８ａに手を移動させて第２センサ１８を作動させることにより湯または水を自動停止することができる。
【００４２】
モード４は第１センサ１７或は第２センサ１８での物体検出を全て電磁弁１３の開閉制御に反映しないモードであり、モード４への切替時に電磁弁１３は開き、以降は他のモードに切り替えない限り、電磁弁１３が開いた状態で固定されるため、手動水栓１を手動で操作して従来と同様に手動水栓１を使用できるモードとなる。
【００４３】
前記運転モードの切替は、制御部１０に設置されたモード切替部１０ｃのスイッチを押す毎に運転モードを１→２→３→４の方向で切り替えることができ、現在モードが４の時は４→３→２→１に切り替わる動作を繰り返し、その状態を表示部１０ｂにて発光や点滅及び/又は報知部１０ｄにて発音等で報知することができる。
【００４４】
なお、運転モードの切替は、第１センサ１７と第２センサ１８に略同時に物体を検出させることでモード切替部１０ｃの代用として設定することもできる。これにより通常時にて制御部１０に触れることなく全ての操作が可能となり、手動水栓１及び制御部１０を操作時に濡らすこと、汚すことを回避できる。
【００４５】
本実施形態の自動水栓において、別な運転モードの種類として、モード１では第１センサ１７を自動吐水、第２センサ１８を連続吐水に設定し、モード２では第２センサ１８での物体検出を電磁弁１３の開閉制御に反映しないモードに設定し、モード３では第１センサ１７での物体検出を電磁弁１３の開閉制御に反映しないモードに設定し、モード４では第１センサ１７或は第２センサ１８での物体検出を全て電磁弁１３の開閉制御に反映しないモードに設定するなど、本実施形態の自動水栓の使用条件に最適な運転モードを用意することができる。
【００４６】
また、運転モードの切替え順についてもモードを１→２→３→４→１→２→３→４と繰り返す動作にするなど、利用者の好みに応じて設定することができる。
【００４７】
本実施形態の自動水栓に通電する前の電磁弁１３の開閉状態は、運転モード１〜運転モード３の物体検出待機で電源を遮断した時は閉状態となるが、これ以外では開状態となっていることから、本装置の通電開始時は電磁弁閉動作を自動で１回行い、電磁弁の状態を閉位置に統一してから制御を開始することで、通電時の不用意な吐水を防止することができる。
なお、本実施形態の自動水栓に通電すると最初に運転モード１で制御運転を開始する。
この後、モード切替部１０ｃのモード切り替え用のスイッチ操作により運転モードをモード２〜４のいずれかに切り替えて使用することができる。あるいは、センサ１７、１８に手を接近させて両方同時に検出させ、モード切り替え用のスイッチ操作の代用とすることで、運転モードを目的のモード１〜４のいずれかに設定し、手動水栓１を４つのモードに基づく自動水栓として使用できる。
【００４８】
図６は、本実施形態の自動水栓において、停電などが原因となって電源部２１からの通電がなされなくなった場合、通電が再開された場合のフローを示す。
電源遮断状態になると動作不可となる。しかし、本実施形態の自動水栓は、電磁弁１３の開動力のための電力を蓄電部１２ｂである蓄電池及び/又はコンデンサに備えている。また、その電力を電磁弁１３の開方向への動作のために放電する電磁弁開スイッチ１２ａを制御部１２に有している。
従って、電源遮断後において電磁弁開スイッチ１２ａを押下することにより、電磁弁１３を開くことができる。ラッチ式の電磁弁１３は１回、開方向への電力を受けた後は開状態を維持するので、電磁弁開スイッチ１２ａを１回押下した以降は手動水栓１をそのまま使用して吐水・止水ができる。図６に示すように電磁弁１３を開状態とすることで操作レバー５の操作によって吐水か、止水を選択できる。従って電源遮断後においても通常の手動水栓のように手動で吐水操作か止水操作ができる。
【００４９】
なお、電源遮断時に電磁弁開弁スイッチ１２ａにより電磁弁１３を解放した状態で電源が復電した場合、制御部１０が図６に示すように電源投入を検出すると１回のみ電磁弁１３を閉状態に駆動させる制御を行うことで、自動水栓制御の初期状態に復帰することができる。この状態では電磁弁１３を閉じているので、復電により手動水栓１から不意に吐水することがない。
初期状態に復帰した後、制御部１０と駆動部１２はモード切替部１０ｃによるモード選択とセンサ１７、１８による物体検出に応じて先に説明したモード１〜モード４を選択的に切り替えながら、先の説明と同様に自動水栓を使用することができる。
【００５０】
図７は本発明に係る自動水栓に設けられる制御部におけるモード移行フローの第２の例を示す説明図である。
この例では電源ＯＮ時の初期設定値として第１運転モード（モード１）が選択されるように設定され、第１運転モード（モード１）は第１センサ１７と第２センサ１８が共に物体の存在を検出する自動吐水制御を行うモードである。第１センサ１７と第２センサ１８が共に物体を検出すると吐水または止水となるので、節水ができる運転モードである。
第２運転モード（モード２）は第１センサ１７と第２センサ１８が共に物体を検出すると連続吐水ができるモードである。
第４運転モード（モード４）は第１センサ１７と第２センサ１８共に検出無効とし、電磁弁１３を開状態とする手動吐水制御を行うモードである。
この例ではモード切替部１０ｃのスイッチを操作する毎にモードを１つずつ往復方向に移動することができるように設定されている。即ち、１→２→４→２→１→２の順でモードを選択するか４→２→１→２→４の順でモードを選択することができる。
【００５１】
このモード移行フローにおいては、第１センサ１７と第２センサ１８の同時物体検出により図７の右側の一時的モード移行１のフローに切り替わり、更に復帰については一定時間経過後（例えば１０分経過後）に自動復帰するように設定することができる。自動復帰の時間は１０分に限らず、３分、５分などの任意の時間であっても良い。
この運転モードでは、モード１において第１センサ１７の物体検出を無効とし、第２センサ１８の物体検出で吐水または止水となるので節水ができる運転モードである。モード２において第１センサ１７の物体検出を無効とし、第２センサ１８の物体検出で連続吐水となるので連続吐水ができる運転モードである。
モード１またはモード２選択中に第１センサ１７と第２センサ１８の同時物体検出により第１センサ１７の検出を無効として第２センサ１８のみで節水ができるモード３-１と連続吐水ができるモード３-２を選択できる。
【００５２】
また、第１センサ１７または第２センサ１８を長時間連続検出（例えば、３秒間検出）に設定することで、図７の下側の一時的モード移行２のフローに切り替わり、長時間連続検出したセンサが節水ならば連続へ１回のみ切り替え、連続ならば節水へ１回のみ切り替える機能（次回、元に戻る）を追加することができる。
第１運転モード（モード１）では第２センサ１８が物体を検出すると節水での吐水を開始するが継続して３秒間以上連続物体検出した場合、この吐水時に限り自動的に連続吐出に切り替えることができる。
第２運転モード（モード２）では第１センサ１７または第２センサ１８の物体検出により連続吐水を開始するが継続して３秒以上物体検出した場合、この吐出時に限り自動的に節水に切り替えることができる。
図７に示す運転モードフローに切り替えることで利用者は１アクション（第１センサ１７と第２センサ１８で共に物体の存在を検出）で一時的にモード１（モード２）←→第１センサを無効な状態への移行と復帰ができるようになっている。また、第１センサ１７または第２センサ１８の長時間検出により、一時的にその吐出時に限り節水←→連続に自動的に切り替えることができるようになる。
【００５３】
図７に示すモード移行を選択することで、図４に示すモード移行の場合の以下の問題点を解消できる。
先のモード移行の場合、第１センサのみを検出無効としたい場合はモード１からモード３に移行し、モード１に再度戻したい場合、操作としてモード１→モード２→モード３の順で移行し、戻すにはモード３→モード４→モード３→モード２→モード１と順次移行する必要があり、時間がかかる問題がある。
これに対し、図７のフローに従うと、一定時間経過後に自動復帰できる。例えば、連続吐水で皿洗い等を行っていて、１０分経過すると、基のモードに自動的に復帰できる。さらに、従来のモード３では第２センサは連続吐出で固定されていたのに対し、図７のフローではモード１選択中に一時的モード移行１を実施することにより第２センサを節水とすることができる。
また、図４に示すモード移行の場合、モード１→モード２で移行した後、戻すには、モード２→モード３→モード４→モード３→モード２→モード１の順となるため、モード１に戻すための時間がかかる問題がある。
【００５４】
これに対し、図７のフローに従うと、第１センサ１７を連続長時間（例えば３秒）検出するとその吐水時に限り連続ならば節水へ、第２センサ１８を連続長時間（例えば３秒）検出するとその吐水時に限り節水ならば連続へ、連続ならば節水へ１回の切り替えで変更することができ、時間短縮できる特徴を有する。
即ち、図７に示す右側のモード移行１の選択あるいは下側のモード移行２の選択を使い分けることで、モード１を選択している状態において一時的にモード２、３に近い状態との行き来ができ、モード２を選択中に一時的にモード１、３との行き来ができるようになっている。従って１つのモードにおいて一連の操作の全てを実施可能とする特徴を有する。
従って、この場合は図７の通常時のモード選択は初期設定という意味合いとなり、モード選択をモード切替部１０ｃで行うが、１度モードを選択すると以降の通常操作は全て非接触で行うことができる。
なお、同時検出の時間を延ばすことにより、非接触でのモード切替も可能であるが、使用者の意志に反してモードが切り替わる可能性があるので、使い勝手優先でモード切替部１０ｃの操作による切り替えとすることが好ましい。
【符号の説明】
【００５５】
１…手動水栓、２…流し台、３…供給管（給水・給湯）、４…止水栓、５…操作レバー、６…吐水口、７…水栓設置台、８…シンク、９…キャビネット、１０…制御部、
１０ａ…操作部、１０ｂ…表示部、１０ｃ…モード切替部（切替手段）、
１０ｄ…報知部、１１…信号線、１２…駆動部、１２ａ…電磁弁開スイッチ、
１２ｂ…蓄電部、１３…電磁弁、１４…電気配線、１５…貫通孔（加工）、１６…天板、
１７…第１センサ、１７ａ…第１センサ検出域、１８…第２センサ、
１８ａ…第２センサ検出域、１９…壁、２０…扉、２１…電源部。
【図１】
2019007183.tif 000003
【図２】
2019007183.tif 000004
【図３】
2019007183.tif 000005
【図４】
2019007183.tif 000006
【図５】
2019007183.tif 000007
【図６】
2019007183.tif 000008
【図７】
2019007183.tif 000009